(57)【特許請求の範囲】
【請求項１】
通信制御装置であって、
特定の無線端末と他の無線端末に対する動作を区別するための端末グループ分けを前記通信制御装置または他の通信制御装置が行っているか否かに応じ、前記他の通信制御装置と連携する協調型通信を制御する通信制御部、
を備え、
前記通信制御部は、前記他の通信制御装置との通信であって、前記端末グループ分けに関する情報の通信を制御する、通信制御装置。
【請求項２】
前記通信制御部は、前記通信制御装置および他の第１の通信制御装置が前記端末グループ分けを行っておらず、他の第２の通信制御装置が前記端末グループ分けを行っている場合、前記他の第１の通信制御装置と連携する協調型通信を制御する、請求項１に記載の通信制御装置。
【請求項３】
前記通信制御部は、他の第２の通信制御装置が対象の無線端末を特定の無線端末として含む端末リストを有する場合、前記他の第２の通信制御装置と連携する協調型通信を制御する、請求項１に記載の通信制御装置。
【請求項４】
前記通信制御部は、他の第２の通信制御装置が前記他の無線端末との接続を許可している場合、前記他の第２の通信制御装置と連携する協調型通信を制御する、請求項１に記載の通信制御装置。
【請求項５】
前記通信制御部は、前記通信制御装置が前記端末グループ分けを行っている場合、対象の無線端末との１対１の通信を制御する、請求項１に記載の通信制御装置。
【請求項６】
前記通信制御部は、前記他の通信制御装置が前記端末グループ分けを行っているか否かを問い合わせる通信を制御する、請求項１に記載の通信制御装置。
【請求項７】
前記通信制御部は、前記他の通信制御装置における前記端末グループ分けを示す端末リストを問い合わせる通信を制御する、請求項１に記載の通信制御装置。
【請求項８】
前記通信制御部は、対象の無線端末を前記特定の無線端末として含む端末リストを前記他の通信制御装置が有するか否かを問い合わせる通信を制御する、請求項１に記載の通信制御装置。
【請求項９】
前記通信制御部は、対象の無線端末との通信のために前記他の通信制御装置と連携する協調型通信への参加の可否を問い合わせる通信を制御する、請求項１に記載の通信制御装置。
【請求項１０】
前記特定の端末は、前記通信制御装置への接続が許可される端末、または、前記通信制御装置へ優先接続される端末である、請求項１に記載の通信制御装置。
【請求項１１】
通信制御装置が、特定の無線端末と他の無線端末に対する動作を区別するための端末グループ分けを前記通信制御装置または他の通信制御装置が行っているか否かに応じ、前記他の通信制御装置と連携する協調型通信を制御し、前記他の通信制御装置との通信であって、前記端末グループ分けに関する情報の通信を制御する、通信制御方法。
【請求項１２】
コンピュータを、
通信制御装置であって、
特定の無線端末と他の無線端末に対する動作を区別するための端末グループ分けを前記通信制御装置または他の通信制御装置が行っているか否かに応じ、前記他の通信制御装置と連携する協調型通信を制御し、前記他の通信制御装置との通信であって、前記端末グループ分けに関する情報の通信を制御する、通信制御部、
を備える通信制御装置として機能させるための、プログラム。
【請求項１３】
第１の通信制御装置と、
第２の通信制御装置と、
を備え、
前記第１の通信制御装置は、
特定の無線端末と他の無線端末に対する動作を区別するための端末グループ分けを前記第１の通信制御装置または前記第２の通信制御装置が行っているか否かに応じ、前記第２の通信制御装置と連携する協調型通信を制御し、前記第２の通信制御装置との通信であって、前記端末グループ分けに関する情報の通信を制御する、通信制御部を有する、通信システム。
【発明の詳細な説明】
【技術分野】
【０００１】
本発明は、通信制御装置、通信制御方法、プログラム、通信システムおよび無線端末に関する。
【背景技術】
【０００２】
現在、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）において４Ｇの無線通信システム（セルラシステム）の規格化が進められている。このような無線通信システムでは、セルエッジにおける通信容量を向上することが重要である。このため、セルエッジにおける通信容量を向上するための一つの手段として、ＣｏＭＰ（Ｃｏｏｒｄｉｎａｔｅｄ  Ｍｕｌｔｉ−Ｐｏｉｎｔ）が検討されている。
【０００３】
ＣｏＭＰは、複数の基地局が協調して送受信パラメータ、スケジューリング、またはビーム・アンテナ指向性を制御しながらユーザ端末と通信する方式である。このＣｏＭＰにより、通信品質の安定化や、通信容量の増加などの効果が期待されている。
【０００４】
また、無線通信システムでは、局所的に発生する通信トラフィックを効率よくサポートすることも重要である。このような観点から、ＨｅｔＮｅｔ（Ｈｅｔｅｒｏｇｅｎｅｏｕｓ  Ｎｅｔｗｏｒｋ）の導入も検討されている。ＨｅｔＮｅｔは、大小のセルが重なるように配置されたネットワークである。ＨｅｔＮｅｔによれば、マクロセルのような大きなセルだけではカバーすることが難しかった局所的に発生する通信トラフィックを小さなセルがカバーすることにより、エリア全体の通信容量を向上することが可能となる。なお、各セルを形成する基地局としては、ｅＮｏｄｅＢ、ＲＲＨ（Ｒｅｍｏｔｅ  ＲａｄｉｏＨｅａｄ）セル基地局、ホットゾーン基地局（Ｐｉｃｏ／ｍｉｃｒｏ  ｃｅｌｌ  ｅＮＢ）、フェムトセル基地局（Ｈｏｍｅ  ｅＮＢ）、および中継装置（リレー基地局）などが想定される。
【０００５】
これら基地局は、ユーザ端末のアクセス制限を有するＣＳＧ（Ｃｌｏｓｅｄ  Ｓｕｂｓｃｒｉｂｅｒ  Ｇｒｏｕｐ）セルと、アクセス制限を有さないＯＳＧ（Ｏｐｅｎ  Ｓｕｂｓｃｒｉｂｅｒ  Ｇｒｏｕｐ）セルとに大別される。例えば、フェムトセル基地局は、家庭におけるＣＳＧセルとしての運用が考えられており、事前に設定されたユーザ端末がフェムトセル基地局にアクセスすることが可能である。このようなＣＳＧセルを考慮した技術は、例えば特許文献１および特許文献２に開示されている。
【先行技術文献】
【特許文献】
【０００６】
【特許文献１】特表２０１１−５０１５２５号公報
【特許文献２】特開２０１０−２１３２７３号公報
【発明の概要】
【発明が解決しようとする課題】
【０００７】
上述したように、今後、ＣｏＭＰとＣＳＧセルの導入が進むことが予想される。しかし、ＣＳＧセルについては、現状、他の基地局と協調するための手順が検討されていない。このため、ＣＳＧセルとＣｏＭＰの組合せを実現することが困難であった。
【０００８】
そこで、本開示では、ある無線端末と他の無線端末に対する動作を区別するＣＳＧセルのような通信制御装置の導入と、ＣｏＭＰのような協調型通信の導入との相乗効果を得るための、新規かつ改良された通信制御装置、通信制御方法、プログラム、通信システムおよび無線端末を提案する。
【課題を解決するための手段】
【０００９】
本開示によれば、通信制御装置であって、特定の無線端末と他の無線端末に対する動作を区別するための端末グループ分けを前記通信制御装置または他の通信制御装置が行っているか否かに応じ、前記他の通信制御装置と連携する協調型通信を制御する通信制御部、を備える通信制御装置が提供される。
【００１０】
また、本開示によれば、通信制御装置が、特定の無線端末と他の無線端末に対する動作を区別するための端末グループ分けを前記通信制御装置または他の通信制御装置が行っているか否かに応じ、前記他の通信制御装置と連携する協調型通信を制御する、通信制御方法が提供される。
【００１１】
また、本開示によれば、通信制御装置であって、特定の無線端末と他の無線端末に対する動作を区別するための端末グループ分けを前記通信制御装置または他の通信制御装置が行っているか否かに応じ、前記他の通信制御装置と連携する協調型通信を制御する通信制御部、を備える通信制御装置として機能させるための、プログラムが提供される。
【００１２】
また、本開示によれば、第１の通信制御装置と、第２の通信制御装置と、を備え、前記第１の通信制御装置は、特定の無線端末と他の無線端末に対する動作を区別するための端末グループ分けを前記第１の通信制御装置または前記第２の通信制御装置が行っているか否かに応じ、前記第２の通信制御装置と連携する協調型通信を制御する通信制御部を有する、通信システムが提供される。
【００１３】
また、本開示によれば、通信制御装置との通信であって、特定の無線端末と他の無線端末に対する動作を区別するための端末グループ分けを前記通信制御装置または他の通信制御装置が行っているか否かに応じ、前記他の通信制御装置と連携する協調型通信を制御する前記通信制御装置と通信する、無線端末が提供される。
【発明の効果】
【００１４】
以上説明したように本開示によれば、ある無線端末と他の無線端末に対する動作を区別するＣＳＧセルのような通信制御装置の導入と、ＣｏＭＰのような協調型通信の導入との相乗効果を得るための通信制御装置、通信制御方法、プログラムおよび通信システムが提供される。
【図面の簡単な説明】
【００１５】
【図１】本開示の実施形態による無線通信システムの構成例を示した説明図である。
【図２】グループ分けにより特定のＵＥのアクセスのみを許可する例を示した説明図である。
【図３】ＵＥのグループ分けを行っている基地局に対するアクセスに関するプロトコルの一例を示した説明図である。
【図４】ＵＥのグループ分けを行っている基地局に対するアクセスに関するプロトコルの別の例を示した説明図である。
【図５】グループ分けを行っている基地局によるリソース割り当てを示した説明図である。
【図６】２つの基地局による空間ダイバーシチ効果を得るための協調送信の例を示す説明図である。
【図７】２つの基地局による空間多重効果を得るための協調送信の例を示す説明図である。
【図８】２つの基地局による空間ダイバーシチ効果を得るための協調受信の例を示す説明図である。
【図９】２つの基地局による周波数方向の協調スケジューリングの例を示す説明図である。
【図１０】２つの基地局による時間方向の協調スケジューリングの例を示す説明図である。
【図１１】第１の実施形態による基地局の構成を示した機能ブロック図である。
【図１２】本実施形態による基地局の動作の概略を示したシーケンス図である。
【図１３】グループ分けに関する情報の第１の通信例を示すシーケンス図である。
【図１４】グループ分けに関する情報の第１の通信例を示すシーケンス図である。
【図１５】グループ分けに関する情報の第２の通信例を示すシーケンス図である。
【図１６】グループ分けに関する情報の第２の通信例を示すシーケンス図である。
【図１７】グループ分けに関する情報の第３の通信例を示すシーケンス図である。
【図１８】グループ分けに関する情報の第３の通信例を示すシーケンス図である。
【図１９】グループ分けに関する情報の第４の通信例を示すシーケンス図である。
【図２０】グループ分けに関する情報の第４の通信例を示すシーケンス図である。
【図２１】グループ分けに関する情報の第５の通信例を示すシーケンス図である。
【図２２】グループ分けに関する情報の第５の通信例を示すシーケンス図である。
【図２３】ＣｏＭＰに関する第１の判断例を示したフローチャートである。
【図２４】ＣｏＭＰに関する第２の判断例を示したフローチャートである。
【図２５】ＣｏＭＰに関する第３の判断例を示したフローチャートである。
【図２６】ＣｏＭＰに関する第４の判断例を示したフローチャートである。
【図２７】ＣｏＭＰを実施するためのシグナリングを示したシーケンス図である。
【図２８】ＣｏＭＰを実施するためのシグナリングを示したシーケンス図である。
【図２９】第２の実施形態のユースケースを示した説明図である。
【図３０】第２の実施形態による基地局の構成を示した機能ブロック図である。
【図３１】第２の実施形態による基地局の第１の動作例を示したフローチャートである。
【図３２】第２の実施形態による基地局の第２の動作例を示したフローチャートである。
【図３３】第２の実施形態による基地局の第３の動作例を示したフローチャートである。
【図３４】第２の実施形態による基地局の第４の動作例を示したフローチャートである。
【図３５】管理ノードの構成を示した機能ブロック図である。
【図３６】管理ノードの第１の動作例を示したフローチャートである。
【図３７】管理ノードの第２の動作例を示したフローチャートである。
【図３８】基地局による端末リストの更新処理を示したフローチャートである。
【図３９】基地局による端末リストの更新処理を別の観点から示したシーケンス図である。
【図４０】管理ノードによる端末リストの更新処理を示したシーケンス図である。
【発明を実施するための形態】
【００１６】
以下に添付図面を参照しながら、本開示の好適な実施の形態について詳細に説明する。なお、本明細書及び図面において、実質的に同一の機能構成を有する構成要素については、同一の符号を付することにより重複説明を省略する。また、本明細書及び図面において、実質的に同一の機能構成を有する複数の構成要素を、同一の符号の後に異なるアルファベットを付して区別する場合もある。例えば、実質的に同一の機能構成を有する複数の構成を、必要に応じてＵＥ２０Ａ、２０Ｂおよび２０Ｃのように区別する。ただし、実質的に同一の機能構成を有する複数の構成要素の各々を特に区別する必要がない場合、同一符号のみを付する。例えば、ＵＥ２０Ａ、２０Ｂおよび２０Ｃを特に区別する必要が無い場合には、単にＵＥ２０と称する。
【００１７】
また、以下に示す項目順序に従って本開示を説明する。
１．無線通信システムの基本構成
１−１．ＵＥのグループ分けについて
（アクセス制限のためのグループ分け）
（優先接続のためのグループ分け）
１−２．ＣｏＭＰについて
（協調送信）
（協調受信）
（協調スケジューリング）
２．第１の実施形態
２−１．基地局の構成
２−２．基地局の動作
−−グループ分けに関する情報の通信−−
（第１の通信例：図１３、図１４）
（第２の通信例：図１５、図１６）
（第３の通信例：図１７、図１８）
（第４の通信例：図１９、図２０）
（第５の通信例：図２１、図２２）
−−ＣｏＭＰを実施するか否かの判断−−
（第１の判断例：図２３）
（第２の判断例：図２４）
（第３の判断例：図２５）
（第４の判断例：図２６）
−−ＣｏＭＰを実施するための手順−−
３．第２の実施形態
３−１．第２の実施形態のユースケース
３−２．基地局の構成および動作
３−３．管理ノードの構成および動作
３−４．補足
４．むすび
【００１８】
＜＜１．無線通信システムの基本構成＞＞
まず、図１を参照し、本開示の実施形態による無線通信システムの基本構成を説明する。図１は、本開示の実施形態による無線通信システムの構成例を示した説明図である。図１に示したように、本開示の実施形態による無線通信システムは、ｅＮｏｄｅＢ１１、リレーノード１２、フェムトセル基地局１３、ＵＥ（Ｕｓｅｒ  Ｅｑｕｉｐｍｅｎｔ）２０、および管理ノード３０を有する。
【００１９】
ｅＮｏｄｅＢ１１は、ｅＮｏｄｅＢ１１が形成するマクロセル内に存在するリレーノード１２およびＵＥ２０との通信を制御する。例えば、ｅＮｏｄｅＢ１１Ａは、マクロセル内に存在するＵＥ２０Ａと通信するためのスケジューリング情報を管理し、このスケジューリング情報に従ってＵＥ２０Ａと通信する。また、ｅＮｏｄｅＢ１１Ａは、マクロセル内に存在するリレーノード１２と通信するためのスケジューリング情報、およびリレーノード１２とＵＥ２０Ｂが通信するためのスケジューリング情報を管理する。
【００２０】
また、各ｅＮｏｄｅＢ１１は、Ｘ２インタフェースと呼ばれる有線の通信路を介して接続される。また、各ｅＮｏｄｅＢ１１は、Ｓ１インタフェースと呼ばれる有線の通信路を介して管理ノード３０Ａと接続される。各ｅＮｏｄｅＢ１１は、これらインタフェースを用い、他のｅＮｏｄｅＢや管理ノード３０などと通信することができる。
【００２１】
リレーノード１２は、ｅＮｏｄｅＢ１１とＵＥ２０との通信を、ｅＮｏｄｅＢ１１が管理するスケジューリング情報に従って中継する。具体的には、リレーノード１２は、ダウンリンクにおいて、ｅＮｏｄｅＢ１１から送信された信号を受信して、増幅した信号を、スケジューリング情報に従った周波数―時間を利用してＵＥ２０に送信する。リレーノード１２は、このような中継を行うことにより、ｅＮｏｄｅＢ１１からセルエッジ付近のＵＥ２０に対して信号を直接送信する場合よりも、信号対雑音比を高くすることが可能である。
【００２２】
フェムトセル基地局１３は、最大送信電力がｅＮｏｄｅＢ１１より小さく、マクロセルよりも小さなセルを形成する基地局である。このフェムトセル基地局１３は、家庭内やオフィス内に配置されることが想定されており、例えば家族内のユーザのＵＥ２０からしかアクセスできないＣＳＧ（Ｃｌｏｓｅｄ  Ｓｕｂｓｃｒｉｂｅｒ  Ｇｒｏｕｐ）を形成する。
【００２３】
また、フェムトセル基地局１３は、管理ノード３０Ｂと接続されており、ｅＮｏｄｅＢ１１とはＡＤＳＬなどのパケット交換ネットワークを介して通信することができる。なお、フェムトセル基地局１３は、無線リンクによりｅＮｏｄｅＢ１１と通信を行ってもよい。
【００２４】
管理ノード３０Ａは、バックボーンネットワークを介して各ｅＮｏｄｅＢ１１と接続されている。この管理ノード３０Ａは、ＭＭＥ（Ｍｏｂｉｌｅ  Ｍａｎａｇｅｍｅｎｔ  Ｅｎｔｉｔｙ）としての機能、または、Ｓｅｒｖｉｎｇ  Ｇａｔｅｗａｙとしての機能を有してもよい。管理ノード３０Ａは、各ｅＮｏｄｅＢ１１が形成するマクロセルの状態を示す管理情報を各ｅＮｏｄｅＢ１１から受信し、この管理情報に基づいて各ｅＮｏｄｅＢ１１が形成するマクロセルにおける通信を制御する。なお、管理ノード３０Ａの機能は、複数の物理的に分離された構成に分散して実装されてもよい。同様に、管理ノード３０Ｂは、フェムトセル基地局１３と接続されており、フェムトセル基地局１３による通信を管理する。
【００２５】
ＵＥ２０は、上述したように、ｅＮｏｄｅＢ１１、リレーノード１２、およびフェムトセル基地局１３などの基地局と通信する無線端末である。なお、ＵＥ２０が送受信するデータとしては、音声データや、音楽、講演およびラジオ番組などの音楽データや、写真、文書、絵画、図表などの静止画データや、映画、テレビジョン番組、ビデオプログラム、ゲーム画像などの動画データなどが挙げられる。また、図１においてはＵＥ２０がスマートフォンである例を示しているが、ＵＥ２０は、携帯電話、ＰＣ（Ｐｅｒｓｏｎａｌ  ｃｏｍｐｕｔｅｒ）、携帯用音楽再生装置、携帯用ゲーム機、家庭用音楽再生装置、家庭用ゲーム機など、無線通信機能を備えた情報処理装置であってもよい。
【００２６】
以上説明したように、本開示の実施形態による無線通信システムによれば、大小のセルが重なるように配置されたＨｅｔＮｅｔと呼ばれるネットワークが形成される。このＨｅｔＮｅｔによれば、マクロセルのような大きなセルだけではカバーすることが難しかった局所的に発生する通信トラフィックを小さなセルがカバーすることにより、エリア全体の通信容量を向上することが可能となる。
【００２７】
なお、以下では、ＨｅｔＮｅｔを形成するｅＮｏｄｅＢ１１、リレーノード１２、およびフェムトセル基地局１３などの通信制御装置を、必要に応じて基地局１０と総称する。ただし、基地局１０は、ｅＮｏｄｅＢ１１、リレーノード１２、およびフェムトセル基地局１３に限定されない。例えば、基地局１０は、ホットゾーン基地局やＲＲＨ（Ｒｅｍｏｔｅ  ＲａｄｉｏＨｅａｄ）セル基地局であってもよい。
【００２８】
ホットゾーン基地局は、最大送信電力がｅＮｏｄｅＢ１１より小さい基地局である。ホットゾーン基地局は、ｅＮｏｄｅＢ１１とはバッグボーンネットワークのＸ２やＳ１などのインタフェースを用いて通信する。なお、ホットゾーン基地局は、どのＵＥ２０からもアクセス可能なＯＳＧ（Ｏｐｅｎ  Ｓｕｂｓｃｒｉｂｅｒ  Ｇｒｏｕｐ）を形成する。
【００２９】
ＲＲＨセル基地局は、ｅＮｏｄｅＢ１１と光ファイバで接続されている。このため、ｅＮｏｄｅＢ１１は、地理的に異なる場所に配置されたＲＲＨセル基地局に光ファイバを介して信号を伝送し、ＲＲＨセル基地局から信号を無線送信させることができる。例えば、ＵＥ２０の位置に近いＲＲＨセル基地局のみを利用することも可能である。なお、制御系の機能はｅＮｏｄｅＢ１１に実装されており、ｅＮｏｄｅＢ１１は、ＵＥ２０の分布に応じて最適な送信形態を選択する。
【００３０】
＜１−１．ＵＥのグループ分けについて＞
上述したｅＮｏｄｅＢ１１は、全てのＵＥ２０に対してオープンであり、全てのＵＥ２０からの接続を許可する。このようなｅＮｏｄｅＢ１１によりマクロセルが面的に展開されることにより、ＵＥ２０が広範囲で通信可能となる。
【００３１】
一方、フェムトセル基地局１３のように、ＵＥ２０をグループ分けし、特定のＵＥ２０からのアクセスのみを許可する基地局が存在する。このような基地局は、ＣＳＧ（Ｃｌｏｓｅｄ  Ｓｕｂｓｃｒｉｂｅｒ  Ｇｒｏｕｐ）セルと呼ばれる。例えば、ＣＳＧセルを設置したオフィスの社員や、家族の一員のＵＥ２０をＣＳＧリストに加えることで、ＣＳＧリストに含まれるＵＥ２０のみがＣＳＧセルにアクセスすることが可能となる。このＣＳＧセルの導入により、ＣＳＧセルでは、ＵＥ２０によるアクセスの混雑を防止し、高品質および高スピードの通信を実現することが期待される。
【００３２】
また、基地局１０は、ＵＥ２０のグループ分けにより、特定のＵＥ２０を他のＵＥ２０よりも優先して接続させることも可能である。これにより、通信システムを構築する際に、各時間／場所における通信リソースの割振りを効率化し、特定のユーザまたは特定のエリアの通信品質を向上させることができる。以下では、グループ分けにより特定のＵＥ２０のアクセスのみを許可する例と、グループ分けにより特定のＵＥ２０を優先接続する例をより具体的に説明する。
【００３３】
（アクセス制限のためのグループ分け）
図２は、グループ分けにより特定のＵＥ２０のアクセスのみを許可する例を示した説明図である。図２に示したように、基地局１０Ａがグループ分けを行っておらず、基地局１０Ｂおよび１０Ｃがグループ分けを行っている場合を考える。また、基地局１０Ｂおよび１０Ｃは、アクセスを許可するＵＥ２０を示す端末リストを有し、基地局１０Ｂの端末リストにはＵＥ２０Ａ、２０Ｂおよび２０Ｃが含まれ、基地局１０Ｃの端末リストにはＵＥ２０Ａ、２０Ｄおよび２０Ｅが含まれる。
【００３４】
この場合、基地局１０Ａは、ＵＥ２０Ａ、２０Ｂおよび２０Ｄのいずれとも通信可能である。一方、基地局１０Ｂは、ＵＥ２０Ａおよび２０Ｂとは通信可能であるが、ＵＥ２０Ｄは端末リストに含まれないので、ＵＥ２０Ｄとは通信を行わない。同様に、基地局１０Ｃは、ＵＥ２０Ａおよび２０Ｄとは通信可能であるが、ＵＥ２０Ｂは端末リストに含まれないので、ＵＥ２０Ｂとは通信を行わない。
【００３５】
図３は、ＵＥ２０のグループ分けを行っている基地局１０に対するアクセスに関するプロトコルの一例を示した説明図である。図３に示したように、ＵＥ２０が、基地局１０に接続可能か否かの確認するために基地局１０に端末リストの問い合わせを行うと（Ｓ５２）、基地局１０はＵＥ２０が端末リストに含まれているか否かを確認する（Ｓ５４）。そして、基地局１０は、確認結果をＵＥ２０に通知する（Ｓ５６）、または、ＵＥ２０のグループ分けに従った動作をＵＥ２０に対して実行する。
【００３６】
図４は、ＵＥ２０のグループ分けを行っている基地局１０に対するアクセスに関するプロトコルの別の例を示した説明図である。図３においては、基地局１０が端末リストを有する例を説明したが、図４に示すように、管理ノード３０が端末リストを有してもよいし、基地局１０および管理ノード３０の双方が端末リストを有してもよい。
【００３７】
具体的には、ＵＥ２０が、基地局１０に接続可能か否かの確認するために基地局１０に端末リストの問い合わせを行うと（Ｓ６０）、基地局１０はこの問い合わせを管理ノード３０に転送する（Ｓ６２）。そして、管理ノード３０は、ＵＥ２０が端末リストに含まれているか否かを確認し（Ｓ６４）、確認結果を基地局１０に送信する（Ｓ６６）。基地局１０は、管理ノード３０から受信した確認結果をＵＥ２０に転送する（Ｓ６８）。
【００３８】
なお、図４においては記載を省略しているが、基地局１０と管理ノードの間にはさらに物理的なノードが介在し得る。この場合、介在する物理的なノードは、問い合わせまたは確認結果を転送する役割を担う。
【００３９】
（優先接続のためのグループ分け）
上述したように、ＵＥ２０のグループ分けにより、特定のＵＥ２０の優先接続を実現することが可能となる。例えば、基地局１０は、通信リソース（時間、周波数、符号および空間など）を特定のＵＥ２０に対して他のＵＥよりも多く割り当てることにより優先接続を実現できる。以下、図５を参照してこの点についてより具体的に説明する。
【００４０】
図５は、グループ分けを行っている基地局１０によるリソース割り当てを示した説明図である。図５に示した基地局１０は、ＵＥ２０を、リスト１に含まれるＵＥ２０、リスト２に含まれるＵＥ２０、および他のＵＥ２０にグループ分けしており、各グループ用の通信リソースを用意している。
【００４１】
図５に示した例では、基地局１０は、周波数Ｆ１〜Ｆ４をリスト２に含まれるＵＥ２０のグループのために用意しており、周波数Ｆ５〜Ｆ７をリスト１に含まれるＵＥ２０のグループのために用意しており、周波数Ｆ８を他のＵＥ２０のために用意している。このため、リスト２に含まれるＵＥ２０に最も高い優先度が与えられ、リスト１に含まれるＵＥ２０に次に高い優先度が与えられ、他のＵＥ２０には最も低い優先度が与えられる。
【００４２】
なお、図５には、グループごとに周波数方向の通信リソースを変化させる例を示したが、他の時間方向の通信リソースなどをグループごとに変化させることも可能である。このように、基地局１０が複数の端末リストを有することにより、基地局１０が形成するセルにおけるより細かな通信容量の制御が可能となる。
【００４３】
＜１−２．ＣｏＭＰについて＞
続いて、本開示の実施形態による基地局１０が行うＣｏＭＰ通信について説明する。ＣｏＭＰ通信は、複数の基地局１０が連携することによりＵＥ２０と通信を行う協調型通信である。このＣｏＭＰ通信の一例として、協調送信、協調受信、および協調スケジューリングなどが挙げられる。以下、これらの各ＣｏＭＰ通信について具体的に説明する。
【００４４】
（協調送信）
協調送信は、対象のＵＥ２０への情報を、複数の基地局１０から対象のＵＥ２０に対して送信する方法である。その際、複数の基地局１０は、少なくとも一部において同一の通信リソース（周波数・時間・空間・符号など）を利用する。また、複数の基地局１０は、送信する情報の誤り訂正方式、誤り訂正符号化率、変調方式、および重みづけなどの送信パラメータを基地局１０間で調整する。これにより、複数の基地局１０による空間送信ダイバーシチの効果(受信品質の向上)、あるいは複数の基地局１０が異なる情報を同一の通信リソースで送信することによる空間多重の効果(伝送レートの向上)が期待できる。
【００４５】
図６は、２つの基地局１０による空間ダイバーシチ効果を得るための協調送信の例を示す説明図である。図６に示したように、基地局１０Ａおよび１０Ｂは、空間ダイバーシチ効果を得るための協調送信を行う場合、周波数および時間については同一リソースを利用しつつ、空間については異なるリソースを利用して、同一の情報をＵＥ２０Ａに送信する。具体的には、同一の情報Ｄ１の送信のために、基地局１０Ａは空間重みＷ１を用い、基地局１０Ｂは空間重みＷ２を利用する。この空間重みＷ１およびＷ２は、ＵＥ２０Ａ側で信号が受信された際に、合成された信号がダイバーシチ効果を得られるように選択されることが望ましい。基地局１０Ａおよび１０Ｂは、このリソースの選択、および同一の情報を基地局１０間で共有、制御するために、図１に示したようなパケット交換ネットワークのような通信網や有線の通信路を用いてもよい。
【００４６】
図７は、２つの基地局１０による空間多重効果を得るための協調送信の例を示す説明図である。図７に示したように、基地局１０Ａおよび１０Ｂは、空間多重効果を得るための協調送信を行う場合、周波数および時間については同一リソースを利用しつつ、空間については異なるリソースを利用して、異なる情報をＵＥ２０Ａに送信する。基地局１０Ａおよび１０Ｂは、このリソースの選択、およびそれぞれの基地局から送信する情報を基地局１０間で共有、制御するために、図６に示した例と同様にパケット交換ネットワークのような通信網や有線の通信路を用いてもよい。
【００４７】
以上説明したように、２つの基地局１０による協調送信によれば、基地局１０が単独でＵＥ２０Ａに情報を送信する場合と比べ、高い伝送レート（例えば、２倍の伝送レート）を得ることが可能となる。
【００４８】
（協調受信）
協調受信は、対象のＵＥ２０から送信される信号を複数の基地局１０が受信し、複数の基地局１０が受信信号を交換すること、または受信信号を所定の箇所に集めることにより、情報を復号する方法である。その際、複数の基地局１０は、ＵＥ２０に対し、少なくとも一部において同一の通信リソース（周波数・時間・空間・符号など）を割り当てる。これにより、複数の基地局１０による空間受信ダイバーシチの効果が得られるので、例えば通信システムのアップリンクの受信品質を改善することができる。
【００４９】
図８は、２つの基地局１０による空間ダイバーシチ効果を得るための協調受信の例を示す説明図である。図８に示したように、基地局１０Ａおよび基地局１０Ｂは、空間ダイバーシチ効果を得るための協調受信を行う場合、同一の周波数、時間リソースをＵＥ２０Ａに割り当て、ＵＥ２０Ａは割り当てられたリソースを利用して信号を送信する。基地局１０Ａおよび基地局１０Ｂは、各々の受信信号を所定の場所へ転送することにより、または、基地局１０Ａおよび基地局１０Ｂの間で交換することにより、情報の復号を試みる。このように、複数の基地局１０の受信信号を情報の復号に用いることにより、受信品質の向上を図ることが可能である。なお、情報の復号は、基地局１０Ａおよび基地局１０Ｂ以外の別の装置で行われてもよい。また、ＵＥ２０Ａは、空間重みを用いて情報を送信してもよい。
【００５０】
（協調スケジューリング）
協調スケジューリングは、対象のＵＥ２０と通信を行う複数の基地局１０において、各基地局１０によるＵＥ２０への割当てリソースの少なくとも一部が異なるようにリソース割り当てを調整する方法である。これにより、複数の基地局１０からの信号が少なくとも一部の通信リソースで直交するため、ＵＥ２０側における干渉の軽減が期待される。
【００５１】
図９は、２つの基地局１０による周波数方向の協調スケジューリングの例を示す説明図である。図９に示したように、基地局１０Ａおよび１０Ｂは、周波数方向の協調スケジューリングを行う場合、時間については同一のリソースを利用しつつ、周波数については異なるリソースを利用して、異なる情報を送信する。これにより、ＵＥ２０Ａでは基地局１０Ａおよび１０Ｂからの信号が直交するので、干渉を軽減することができる。
【００５２】
図１０は、２つの基地局１０による時間方向の協調スケジューリングの例を示す説明図である。図１０に示したように、基地局１０Ａおよび１０Ｂは、時間方向の協調スケジューリングを行う場合、周波数については同一のリソースを利用しつつ、時間については異なるリソースを利用して、異なる情報を送信する。かかる構成によっても、ＵＥ２０Ａでは基地局１０Ａおよび１０Ｂからの信号が直交するので、干渉を軽減することができる。
【００５３】
なお、図９および図１０では基地局１０Ａおよび１０Ｂから送信される情報が異なる例を示したが、基地局１０Ａおよび１０Ｂは、同一の情報を送信することによりダイバーシチ効果を得ることも可能である。また、図９および図１０では、複数の基地局１０からＵＥ２０への送信について示しているが、ＵＥ２０から複数の基地局１０への送信のための協調スケジューリングも同様の方法により実現可能である。
【００５４】
（ＣｏＭＰに関する補足）
上述したように、ＣｏＭＰに際しては利用する通信リソースの協調制御や、送信情報の共有（分配）などが必要となるが、協調制御や送信情報の共有を実現する主体は特に限定されない。例えば、当該主体は、対象となるＵＥ２０が接続している基地局１０（サービング基地局）であってもよいし、図１に示した管理ノード３０のような他の装置であってもよい。
【００５５】
＜＜２．第１の実施形態＞＞
以上、図１〜図１０を参照し、本開示による無線通信システムの基本構成を説明した。
続いて、本開示の第１の実施形態について説明する。本開示の第１の実施形態による基地局１０は、以下に詳細に説明するように、周囲の基地局とＵＥ２０のグループ分けに関する情報を通信し、このグループ分けに関する情報に基づいてＣｏＭＰ通信を制御することが可能である。
【００５６】
＜２−１．基地局の構成＞
図１１は、第１の実施形態による基地局１０の構成を示した機能ブロック図である。図１１に示したように、第１の実施形態による基地局１０は、無線通信部１１０と、有線通信部１２０と、記憶部１３０と、通信制御部１４０と、を備える。
【００５７】
無線通信部１１０は、ＵＥ２０へ無線信号を送信するための送信部、およびＵＥ２０から無線信号を受信するための受信部として機能する。例えば、無線通信部１１０は、受信用の構成として、複数のアンテナ、アナログ処理部、ＡＤ変換部、デジタル処理部およびデコーダを含んでもよい。また、無線通信部１１０は、送信用の構成として、エンコーダ、デジタル処理部、ＤＡ変換部、アナログ処理部、および複数のアンテナを含んでもよい。
【００５８】
有線通信部１２０は、他の基地局１０や管理ノード３０などに情報を送信するための送信部、および他の基地局１０や管理ノード３０などから情報を受信するための受信部として機能する。本実施形態による基地局１０は、詳細については「２−２．基地局の動作」で説明するように、この有線通信部１２０を介してグループ分けに関する情報、およびＣｏＭＰを実施するための情報を通信することができる。なお、図１１においては他の基地局１０や管理ノード３０とのインタフェースが有線である例を示したが、他の基地局１０や管理ノード３０とのインタフェースは無線であってもよい。
【００５９】
記憶部１３０は、基地局１０が動作するためのプログラムや各種情報を記憶する記憶媒体である。特に、基地局１０がＵＥ２０のグループ分けを行っている場合、記憶部１３０には、グループ分けの内容を示す端末リストが記憶される。
【００６０】
通信制御部１４０は、無線通信部１１０によるＵＥ２０との通信や、有線通信部１２０による他の基地局１０との通信など、基地局１０における通信全般を制御する。具体的には、通信制御部１４０は、他の基地局１０とのグループ分けに関する情報の通信を制御する。また、通信制御部１４０は、他の基地局１０とＣｏＭＰ通信を行うための通信パラメータの設定を行う。また、記憶部１３０に端末リストが記憶されている場合、通信制御部１４０は、対象のＵＥ２０が端末リストに含まれているか否かに応じて、対象のＵＥ２０との通信の可否を判断したり、対象のＵＥ２０の接続を優先したりする。
【００６１】
＜２−２．基地局の動作＞
以上、図１１を参照して本実施形態による基地局１０の構成を説明した。続いて、図１２を参照して本実施形態による基地局１０の動作の概略を説明した後に、本実施形態による基地局１０の動作を詳細に説明する。
【００６２】
図１２は、本実施形態による基地局１０の動作の概略を示したシーケンス図である。図１２に示したように、基地局１０Ａおよび１０Ｂは、ＵＥ２０のグループ分けに関する情報を通信する（Ｓ６００）。グループ分けに関する情報は、「グループ分けに関する情報の通信」において詳細に説明するように、グループ分けを行っているか否かを示す情報、端末リスト、または特定のＵＥ２０を含む端末リストを有するか否かを示す情報などであってもよい。
【００６３】
その後、基地局１０Ａは、Ｓ６００の通信により得られたグループ分けに関する情報に基づき、基地局１０ＢとＣｏＭＰを実施するか否かを判断する（Ｓ７００）。そして、基地局１０Ａは、ＣｏＭＰを実施すると判断した場合、基地局１０ＢとＣｏＭＰを実施するための手順に移行する（Ｓ８００）。一方、基地局１０Ａは、ＣｏＭＰを実施しないと判断した場合、ＵＥ２０との１対１の通信など、他の方法の通信を実施する（Ｓ８６０）。
【００６４】
このように、本実施形態によれば、ＵＥ２０のグループ分けの導入と、ＣｏＭＰの導入の相乗効果を得ることが可能となる。以下では、上述した本実施形態による基地局１０による各動作についてより詳細に説明する。なお、図１２においては複数の基地局の一例として２つの基地局（１０Ａおよび１０Ｂ）を示しているが、本実施形態は、３つ以上の基地局１０による通信にも適用可能である。
【００６５】
−−グループ分けに関する情報の通信−−
各基地局１０がＵＥ２０のグループ分けを行っているか否かは、ＣｏＭＰの実施を判断するために非常に重要である。このため、図１２のＳ６００に示したように、基地局１０は、周囲の基地局１０がＵＥ２０のグループ分けを行っているか否かを確認する。以降では、グループ分けに関する情報の基地局１０間の通信プロトコルを説明するが、基地局１０間には別の装置が介在してもよい。この場合、介在する装置はシグナリング、ＡＣＫ／ＮＡＣＫなどを転送する役割を担う。また、グループ分けに関する情報を基地局１０以外の装置（例えば管理ノード３０）が管理している場合には、以降で説明する通信プロトコルを基地局１０−管理ノード３０間の通信プロトコルに援用してもよい。
【００６６】
（第１の通信例：図１３、図１４）
図１３および図１４は、グループ分けに関する情報の第１の通信例を示すシーケンス図である。図１３に示したように、第１の通信例においては、基地局１０ＡがＵＥ２０のグループ分けを行っていることを基地局１０Ｂに対して通知する（Ｓ６０２）。ここで、基地局１０Ａは、グループ分けを行っていることと共に、基地局１０Ａが有する端末リストを通知してもよい。基地局１０Ｂは、基地局１０Ａから当該通知を受信すると、基地局１０ＡにＡＣＫを送信する（Ｓ６０４）。
【００６７】
一方、基地局１０Ｂは、基地局１０Ａからの通知の受信に失敗すると、図１４に示したように、基地局１０ＡにＮＡＣＫを送信する（Ｓ６０６）。または、基地局１０Ｂは、基地局１０ＡにＡＣＫもＮＡＣＫも送信しない（レスポンス無し）。この場合、基地局１０Ａは、ＵＥ２０のグループ分けを行っていることを基地局１０Ｂに対して再度通知してもよい（Ｓ６０８）。また、通知する回数に所定の上限が設定されていてもよい。通知が所定の回数に達した場合には、通知の再送を止めてもよい。
【００６８】
（第２の通信例：図１５、図１６）
図１５および図１６は、グループ分けに関する情報の第２の通信例を示すシーケンス図である。図１５に示したように、第２の通信例においては、基地局１０ＢによりＵＥ２０のグループ分けが行われているか否かを基地局１０Ａが基地局１０Ｂに問い合わせる（Ｓ６１２）。基地局１０Ｂは、基地局１０Ａから当該問い合わせを受けると、グループ分けを行っているか否かを示す情報を基地局１０Ａに送信する（Ｓ６１４）。
【００６９】
一方、基地局１０Ａは、基地局１０ＢからＮＡＣＫを受信した場合、または基地局１０Ｂからレスポンスが無かった場合（Ｓ６１６）、図１６に示したように、基地局１０ＢによりＵＥ２０のグループ分けが行われているか否かを基地局１０Ｂに再度問い合わせてもよい（Ｓ６１８）。また、問い合わせする回数に所定の上限が設定されていてもよい。問い合わせが所定の回数に達した場合には、問い合わせの再送を止めてもよい。
【００７０】
（第３の通信例：図１７、図１８）
図１７および図１８は、グループ分けに関する情報の第３の通信例を示すシーケンス図である。図１７に示したように、第３の通信例においては、基地局１０Ａは基地局１０Ｂに基地局１０Ｂの端末リストを問い合わせる（Ｓ６２２）。基地局１０Ｂは、基地局１０Ａから当該問い合わせを受けると、基地局１０Ｂの端末リストを基地局１０Ａに送信する（Ｓ６２４）。
【００７１】
一方、基地局１０Ａは、基地局１０ＢからＮＡＣＫを受信した場合、または基地局１０Ｂからレスポンスが無かった場合（Ｓ６２６）、図１８に示したように、基地局１０Ｂに基地局１０Ｂの端末リストを再度問い合わせてもよい（Ｓ６２８）。また、問い合わせする回数に所定の上限が設定されていてもよい。問い合わせが所定の回数に達した場合には、問い合わせの再送を止めてもよい。なお、基地局１０Ａは、第２の通信例によって基地局１０Ｂがグループ分けを行っていることを確認した後に当該第３の通信例の制御を実行してもよい。
【００７２】
（第４の通信例：図１９、図２０）
図１９および図２０は、グループ分けに関する情報の第４の通信例を示すシーケンス図である。図１９に示したように、第４の通信例においては、基地局１０Ａは、基地局１０Ｂの端末リストに対象のＵＥ２０Ｘが含まれているか否かを基地局１０Ｂに問い合わせる（Ｓ６３２）。基地局１０Ｂは、基地局１０Ａから当該問い合わせを受けると、基地局１０Ｂの端末リストにＵＥ２０Ｘが含まれているか否かを確認し、確認結果を基地局１０Ａに送信する（Ｓ６３４）。
【００７３】
一方、基地局１０Ａは、基地局１０ＢからＮＡＣＫを受信した場合、または基地局１０Ｂからレスポンスが無かった場合（Ｓ６３６）、図２０に示したように、基地局１０Ｂの端末リストに対象のＵＥ２０Ｘが含まれているか否かを基地局１０Ｂに再度問い合わせてもよい（Ｓ６３８）。また、問い合わせする回数に所定の上限が設定されていてもよい。問い合わせが所定の回数に達した場合には、問い合わせの再送を止めてもよい。なお、基地局１０Ａは、第２の通信例によって基地局１０Ｂがグループ分けを行っていることを確認した後に当該第４の通信例の制御を実行してもよい。
【００７４】
（第５の通信例：図２１、図２２）
図２１および図２２は、グループ分けに関する情報の第５の通信例を示すシーケンス図である。図２１に示したように、第５の通信例においては、基地局１０Ａは、対象のＵＥ２０Ｘに対するＣｏＭＰへの参加の可否を基地局１０Ｂに問い合わせる（Ｓ６４２）。基地局１０Ｂは、基地局１０Ａから当該問い合わせを受けると、ＵＥ２０Ｘに対するＣｏＭＰが可能であるか否かを判断し、判断結果を基地局１０Ａに送信する（Ｓ６４４）。例えば、基地局１０Ｂは、基地局１０Ｂがグループ分けを行っていない場合、基地局１０Ｂの端末リストにＵＥ２０Ｘが含まれる場合、基地局１０Ｂが端末リストに含まれないＵＥ２０に対してもオープンである場合に、ＵＥ２０Ｘに対するＣｏＭＰが可能であると判断してもよい。
【００７５】
一方、基地局１０Ａは、基地局１０ＢからＮＡＣＫを受信した場合、または基地局１０Ｂからレスポンスが無かった場合（Ｓ６４６）、図２２に示したように、ＵＥ２０Ｘに対するＣｏＭＰへの参加の可否を基地局１０Ｂに再度問い合わせてもよい（Ｓ６４８）。また、問い合わせする回数に所定の上限が設定されていてもよい。問い合わせが所定の回数に達した場合には、問い合わせの再送を止めてもよい。なお、基地局１０Ａは、第２の通信例によって基地局１０Ｂがグループ分けを行っていることを確認した後に当該第５の通信例の制御を実行してもよい。さらに、基地局１０Ａは、第３の通信例または第４の通信例によって、基地局１０Ｂの端末リストに対象のＵＥ２０が含まれていることを確認した後に当該第５の通信例の制御を実行してもよい。
【００７６】
（グループ分けに関する情報の通信の補足）
以上説明したグループ分けに関する情報の通信プロトコルは、特にアプリケーション層で実装されることが望まれる。かかる構成により、実際に基地局１０間や管理ノード３０間を接続する通信路の下位層には任意のプロトコルを選択することができるので、通信システムの構成の自由度を向上させることができる。また、特にＬＴＥ（Ｌｏｎｇ  Ｔｅｒｍ  Ｅｖｏｌｕｔｉｏｎ）のようなセルラシステムに上記通信プロトコルを実装する際には、上記通信プロトコルをＸ２インタフェースあるいはＳ１インタフェースの一部として実装することが望まれる。こうすることで、プロトコル・インターフェースを新規に実装するコストを削減することが可能になる。
【００７７】
−−ＣｏＭＰを実施するか否かの判断−−
基地局１０は、上述したように周囲の基地局とＵＥ２０のグループ分けに関する情報を通信した後、ＣｏＭＰを実施するか否か、実施する場合にはどのようにＣｏＭＰを実施するかを判断することが可能となる。以下、このような判断の具体例を説明する。なお、このＣｏＭＰに関する判断は、ＣｏＭＰの対象のＵＥ２０がメインで接続している基地局１０（サービング基地局）が行ってもよいし、他の基地局１０や管理ノード３０が行ってもよい。
【００７８】
（第１の判断例：図２３）
図２３は、ＣｏＭＰに関する第１の判断例を示したフローチャートである。図２３に示したように、基地局１０の通信制御部１４０は、まず周囲の基地局から受信したグループ分けに関する情報を確認する（Ｓ７０２）。そして、通信制御部１４０は、基地局１０がグループ分けを行っておらず（Ｓ７０４）、周囲の基地局がグループ分けを行っている場合（Ｓ７０６）、対象のＵＥ２０との１対１の通信を制御する（Ｓ７０８）。
【００７９】
一方、基地局１０がグループ分けを行っている場合（Ｓ７０４）、または、周囲の基地局がグループ分けを行っていない場合（Ｓ７０６）、通信制御部１４０は、ＣｏＭＰなどの任意の方法でＵＥ２０との通信を制御する（Ｓ７１０）。
【００８０】
この第１の判断例によれば、基地局１０は、周囲にグループ分けを行っている基地局が１つでも存在する場合、対象のＵＥと通常の１対１の通信を行う。これにより、ＣｏＭＰを実施するためのシグナリングを抑制し、ＵＥ２０とのシンプルな通信を実現することができる。
【００８１】
（第２の判断例：図２４）
図２４は、ＣｏＭＰに関する第２の判断例を示したフローチャートである。図２４に示したように、基地局１０の通信制御部１４０は、まず周囲の基地局から受信したグループ分けに関する情報を確認する（Ｓ７１２）。そして、通信制御部１４０は、基地局１０がグループ分けを行っている場合（Ｓ７１４）、１対１の通信やブロードキャスト通信やＣｏＭＰ通信などの任意の方法でＵＥ２０との通信を制御する（Ｓ７１６）。
【００８２】
一方、通信制御部１４０は、基地局１０がグループ分けを行っていない場合（Ｓ７１４）、Ｓ７１８〜Ｓ７２４の処理を周囲の各基地局について繰り返す。具体的には、通信制御部１４０は、周囲の基地局がグループ分けを行っており（Ｓ７１８）、周囲の基地局の端末リストに対象のＵＥ２０が含まれず（Ｓ７２０）、周囲の基地局が端末リストに含まれないＵＥ２０に対してはオープンでない場合（Ｓ７２２）、周囲の基地局をＣｏＭＰのパートナーから外す（Ｓ７２４）。
【００８３】
そして、通信制御部１４０は、ＣｏＭＰのパートナーから外されなかった周囲の基地局にＣｏＭＰの協力を要求する通信を制御する（Ｓ７２６）。
【００８４】
（第３の判断例：図２５）
図２５は、ＣｏＭＰに関する第３の判断例を示したフローチャートである。図２５に示したように、基地局１０の通信制御部１４０は、まず周囲の基地局から受信したグループ分けに関する情報を確認する（Ｓ７３２）。そして、通信制御部１４０は、基地局１０がグループ分けを行っている場合（Ｓ７３４）、対象のＵＥ２０との１対１の通信を制御する（Ｓ７３６）。一方、通信制御部１４０は、基地局１０がグループ分けを行っていない場合（Ｓ７３４）、１対１の通信やブロードキャスト通信やＣｏＭＰ通信など任意の方法でＵＥ２０との通信を制御する（Ｓ７３８）。
【００８５】
この第３の判断例によれば、基地局１０は、自己が例えばフェムトセル基地局のようなＣＳＧセルである場合にはＣｏＭＰを実施しないと判断する。この場合、ＣｏＭＰを実施するためのシグナリングを抑制することができる。また、基地局１０は、第３の判断例に従って動作する場合、図１２〜図２２を参照して説明した周囲の基地局とグループ分けに関する通信を行うステップ（Ｓ６００）を有さなくてもよい。
【００８６】
（第４の判断例：図２６）
図２６は、ＣｏＭＰに関する第４の判断例を示したフローチャートである。図２６に示したように、基地局１０の通信制御部１４０は、まず周囲の基地局から受信したグループ分けに関する情報を確認する（Ｓ７４２）。そして、通信制御部１４０は、基地局１０がグループ分けを行っていない場合（Ｓ７４４）、１対１の通信やＣｏＭＰ通信などの任意の方法でＵＥ２０との通信を制御する（Ｓ７４６）。
【００８７】
一方、通信制御部１４０は、基地局１０がグループ分けを行っている場合（Ｓ７４４）、Ｓ７４８〜Ｓ７５４の処理を周囲の各基地局について繰り返す。具体的には、通信制御部１４０は、周囲の基地局がグループ分けを行っており（Ｓ７４８）、周囲の基地局の端末リストに対象のＵＥ２０が含まれず（Ｓ７５０）、周囲の基地局が端末リストに含まれないＵＥ２０に対してはオープンでない場合（Ｓ７５２）、周囲の基地局をＣｏＭＰのパートナーから外す（Ｓ７５４）。
【００８８】
そして、通信制御部１４０は、ＣｏＭＰのパートナーから外されなかった周囲の基地局にＣｏＭＰの協力を要求する通信を制御する（Ｓ７５６）。
【００８９】
（ＣｏＭＰを実施するか否かの判断の補足）
以上説明した判断例を整理すると、基地局１０は、各ケースにおいて下記のように動作する。なお、説明の便宜上、以下ではグループ分けを行っている基地局をＣＳＧセルと称し、グループ分けを行っていない基地局をＯＳＧセルと称する。
【００９０】
Ａ．サービング基地局がＯＳＧセルである場合
Ａ−１．周囲にＣＳＧセルが存在する場合
Ａ−１−１．周囲にＯＳＧセルが存在する場合
（動作例１）ＣＳＧセルを含む周囲の基地局とＣｏＭＰ
（動作例２）周囲のＣＳＧセル以外の基地局とＣｏＭＰ
（動作例３）ＣｏＭＰを実施しない
Ａ−１−２．周囲にＯＳＧセルが存在しない場合
（動作例１）ＣＳＧセルとＣｏＭＰ
（動作例２）ＣｏＭＰを実施しない
Ａ−２．周囲にＣＳＧセルが存在しない場合
Ａ−２−１．周囲にＯＳＧセルが存在する場合
（動作例）ＯＳＧセルとＣｏＭＰ
Ａ−２−２．周囲にＯＳＧセルが存在しない場合
（動作例）ＣｏＭＰを実施しない
【００９１】
Ｂ．サービング基地局がＣＳＧセルである場合
Ｂ−１．周囲にＣＳＧセルが存在する場合
Ｂ−１−１．周囲にＯＳＧセルが存在する場合
（動作例１）ＯＳＧセルを含む周囲の基地局とＣｏＭＰ
（動作例２）周囲のＯＳＧセル以外の基地局とＣｏＭＰ
（動作例３）ＣｏＭＰを実施しない
Ｂ−１−２．周囲にＯＳＧセルが存在しない場合
（動作例１）周囲のＯＳＧセル以外の基地局とＣｏＭＰ
（動作例２）ＣｏＭＰを実施しない
Ｂ−２．周囲にＣＳＧセルが存在しない場合、
Ｂ−２−１．周囲にＯＳＧセルが存在する場合
（動作例１）ＯＳＧセルを含む周囲の基地局とＣｏＭＰ
（動作例２）ＣｏＭＰを実施しない
Ｂ−２−２．周囲にＯＳＧセルが存在しない場合
（動作例）ＣｏＭＰを実施しない
【００９２】
−−ＣｏＭＰを実施するための手順−−
上述の方法によりＣｏＭＰを実施すると判断された場合、基地局１０は、ＣｏＭＰを実施するためのシグナリングを行う。以下、図２７および図２８を参照して具体的に説明する。
【００９３】
図２７および図２８は、ＣｏＭＰを実施するためのシグナリングを示したシーケンス図である。図２７に示したように、基地局１０Ａは、基地局１０ＢからＣｏＭＰへの参加を示す情報が受信された場合、ＣｏＭＰを実施するための通信リソースや、空間重み、変調方式、符号化方式などの送受信パラメータを選択または計算する（Ｓ８０２）。そして、基地局１０Ａは、送受信パラメータなどの選択結果を基地局１０Ｂに通知する（Ｓ８０４）。その後、基地局１０Ａは、基地局１０ＢからＡＣＫを受信すると（Ｓ８０６）、Ｓ８０２において選択した通信リソースや送受信パラメータに従ってＣｏＭＰを実施する（Ｓ８０８）。なお、ＣｏＭＰの具体例は、「１−２．ＣｏＭＰについて」において説明した通りである。
【００９４】
一方、基地局１０Ａは、基地局１０ＢからＮＡＣＫを受信した場合、または基地局１０Ｂからレスポンスが無かった場合（Ｓ８１０）、図２８に示したように、送受信パラメータなどの選択結果を基地局１０Ｂに再度通知する（Ｓ８１２）。また、通知する回数に所定の上限が設定されていてもよい。なお、基地局１０Ａは、基地局１０ＢからＮＡＣＫを受信した場合、または基地局１０Ｂからレスポンスが無かった場合（Ｓ８１０）、または通知が所定の回数に達した場合、ＣｏＭＰを実施せずＵＥ２０と１対１の通信を行ってもよいし、他の周囲の基地局とＣｏＭＰを実施してもよい。
【００９５】
また、各基地局１０は、ＣｏＭＰの実施に際して以下の処理を行ってもよい。
（ａ）
サービング基地局１０は、ＣｏＭＰを実施する他の基地局１０に対して、対象となるＵＥ２０の端末ＩＤと、送信すべき情報を通知する。当該通知を受けた各基地局１０は、通知された端末ＩＤを有するＵＥ２０に対して、通知された情報を送信する。
（ｂ）
サービング基地局１０は、ＣｏＭＰを実施する他の基地局１０に対して、対象となるＵＥ２０の端末ＩＤと、スケジューリング情報を通知する。当該通知を受けた各基地局１０は、通知された端末ＩＤを有するＵＥ２０のために、通知されたスケジューリング情報の示す通信リソース（スロット、リソースブロック）を割り当てる。
（ｃ）
サービング基地局１０は、ＣｏＭＰを実施する他の基地局１０に対して、対象となるＵＥ２０の端末ＩＤと、スケジューリング情報を通知する。当該通知を受けた各基地局１０は、通知された端末ＩＤを有するＵＥ２０のために、通知されたスケジューリング情報の示す通信リソースと異なる通信リソースを割り当てる。
（ｄ）
ＣｏＭＰを実施する複数の基地局１０は、ＵＥ２０へ信号を送信する際に、送信電力、アンテナの指向性、アンテナの重み付けのうちの少なくともいずれかのパラメータを、過去の送信時のパラメータから変化させる。これらパラメータは、各基地局１０が決定してもよい。この場合、各基地局１０は、これらパラメータの設定のために、ＵＥ２０から送信された信号の以前の受信結果を用いてもよい。まあ、これらのパラメータは、サービング基地局１０が決定してもよいし、ＵＥ２０が決定してもよい。
（ｅ）
サービング基地局１０以外のＣｏＭＰを実施する複数の基地局１０の少なくとも一部は、対象となるＵＥ２０から信号を受信した場合、受信信号を復号、復調し、その結果をサービング基地局１０に送信する。
（ｆ）
サービング基地局１０以外のＣｏＭＰを実施する複数の基地局１０の少なくとも一部は、ＵＥ２０からのＡＣＫ／ＮＡＣＫをサービング基地局１０に送信しない。さらに、ＣｏＭＰを実施する複数の基地局１０は、ＡＣＫ／ＮＡＣＫを復調、復号しなくてもよいし、ＡＣＫ／ＮＡＣＫのためのスケジューリングを行わなくてもよい。
（ｇ）
ＣｏＭＰを実施する複数の基地局１０の少なくとも一部は、ＵＥ２０から受信したデータに対するＡＣＫ／ＮＡＣＫを送信しない。
（ｈ）
ＣｏＭＰを実施する複数の基地局１０の少なくとも一部は、同一の周波数帯域、または重複部分を有する周波数帯域を利用して対象のＵＥ２０に信号を送信する、または、ＵＥ２０から信号を受信する。
【００９６】
以上説明したように、本開示の第１の実施形態によれば、ＣＳＧセルとＯＳＧセルのように、グループ分けを行っている基地局１０とグループ分けを行っていない基地局１０が混在するネットワークにおいても、ＣｏＭＰ通信を適切に制御することが可能となる。すなわち、グループ分けを行う基地局１０の導入と、ＣｏＭＰ通信の導入とによるメリットを同時に得ることが可能である。
【００９７】
＜＜３．第２の実施形態＞＞
続いて、本開示の第２の実施形態を説明する。本開示の第２の実施形態では、複数の基地局１０’が同一の端末リストを共有するための仕組みを提案する。
【００９８】
＜３−１．第２の実施形態のユースケース＞
第２の実施形態では、同一の端末リストを有する複数の基地局１０’が通信システムを構成するユースケースを想定する。例えば、比較的に規模の大きいオフィスなどで、複数の基地局１０’（フェムトセル基地局のような小型基地局）によってオフィス全体をカバーするというユースケースが考えられる。
【００９９】
図２９に示した例では、基地局１０’Ａ〜１０’Ｄが同一オフィスに配置され、基地局１０’Ａ〜１０’Ｄが同一の端末リストを有する。これにより、当該端末リストに含まれるＵＥ２０は、オフィス内のどこからでも、いずれかの基地局１０’に接続することが可能となる。なお、端末リストは管理ノード３０’において管理されていてもよい。また、基地局１０’は、ＵＥ２０と１対１で通信することも、第１の実施形態で説明したようにＣｏＭＰを実施することも可能である。
【０１００】
このような通信システムにおいては、各基地局１０’が同一の端末リストを共有することが重要である。そこで、以下では、各基地局１０’が同一の端末リストを共有するための構成を詳細に説明する。
【０１０１】
＜３−２．基地局の構成および動作＞
図３０は、第２の実施形態による基地局１０’の構成を示した機能ブロック図である。図３０に示したように、第２の実施形態による基地局１０’は、無線通信部１１０と、有線通信部１２０と、記憶部１３０と、通信制御部１４２と、リスト比較部１５０と、リスト更新部１６０と、を備える。無線通信部１１０、有線通信部１２０、および記憶部１３０は第１の実施形態で説明した通りであるので、ここでの詳細な説明を省略する。
【０１０２】
通信制御部１４２は、第１の実施形態で説明した通信制御部１４０の機能に加え、周囲の基地局１０’の端末リストを取得するための通信を制御する。また、通信制御部１４２は、必要に応じ、周囲の基地局１０’の端末リストの更新を要求する通信を制御する。
【０１０３】
リスト比較部１５０は、周囲の基地局１０’の端末リストと、記憶部１３０に記憶されている基地局１０’の端末リストを比較し、基地局１０’の端末リストと異なる端末リストを有する周囲の基地局１０’が存在するか否かを判断する。
【０１０４】
リスト更新部１６０は、基地局１０’の端末リストと異なる端末リストを有する周囲の基地局１０’が存在するとリスト比較部１５０により判断された場合、例えば、記憶部１３０に記憶されている基地局１０’の端末リストを周囲の基地局１０’の端末リストに一致させる。
【０１０５】
または、基地局１０’の端末リストと異なる端末リストを有する周囲の基地局１０’が存在するとリスト比較部１５０により判断された場合、通信制御部１４２が、周囲の基地局１０’の端末リストを記憶部１３０に記憶されている基地局１０’の端末リストに一致させることを要求する通信を制御してもよい。
【０１０６】
以下、このような基地局１０’の動作例を図３１〜図３４を参照してより具体的に説明する。
【０１０７】
（第１の動作例）
図３１は、第２の実施形態による基地局１０’の第１の動作例を示したフローチャートである。図３１に示したように、まず、基地局１０’が通信制御部１４２による制御に従って周囲の基地局１０’の端末リストを取得すると（Ｓ９０２）、リスト比較部１５０が、記憶部１３０に記憶されている基地局１０’の端末リストと異なる端末リストを有する周囲の基地局１０’が存在するか否かを判断する（Ｓ９０４）。
【０１０８】
そして、基地局１０’の端末リストと異なる端末リストを有する周囲の基地局１０’が存在し、基地局１０’の端末リストにないＵＥ２０が周囲の基地局１０’の端末リストに含まれる場合、リスト更新部１６０は、基地局１０’の端末リストに当該ＵＥ２０を追加する（Ｓ９０８）。そして、基地局１０’はＵＥ２０との通信のステップに進む（Ｓ９１０）。
【０１０９】
（第２の動作例）
図３２は、第２の実施形態による基地局１０’の第２の動作例を示したフローチャートである。図３２に示したように、まず、基地局１０’が通信制御部１４２による制御に従って周囲の基地局１０’の端末リストを取得すると（Ｓ９１２）、リスト比較部１５０が、記憶部１３０に記憶されている基地局１０’の端末リストと異なる端末リストを有する周囲の基地局１０’が存在するか否かを判断する（Ｓ９１４）。
【０１１０】
そして、基地局１０’の端末リストと異なる端末リストを有する周囲の基地局１０’が存在し、周囲の基地局１０’の端末リストにないＵＥ２０が基地局１０’の端末リストに含まれる場合（Ｓ９１６）、リスト更新部１６０は、基地局１０’の端末リストから当該ＵＥ２０を削除する（Ｓ９１８）。そして、基地局１０’はＵＥ２０との通信のステップに進む（Ｓ９２０）。
【０１１１】
上述した第１の動作例と第２の動作例により、基地局１０’と周囲の基地局１０’の端末リストを一致させることが可能となる。なお、上記では基地局１０’の端末リストを更新する例を説明したが、以下に説明する第３の動作例および第４の動作例のように、周囲の基地局１０’の端末リストを更新することで基地局１０’と周囲の基地局１０’の端末リストを一致させることも可能である。
【０１１２】
（第３の動作例）
図３３は、第２の実施形態による基地局１０’の第３の動作例を示したフローチャートである。図３３に示したように、まず、基地局１０’が通信制御部１４２による制御に従って周囲の基地局１０’の端末リストを取得すると（Ｓ９２２）、リスト比較部１５０が、記憶部１３０に記憶されている基地局１０’の端末リストと異なる端末リストを有する周囲の基地局１０’が存在するか否かを判断する（Ｓ９２４）。
【０１１３】
そして、基地局１０’の端末リストと異なる端末リストを有する周囲の基地局１０’が存在し、基地局１０’の端末リストにないＵＥ２０が周囲の基地局１０’の端末リストに含まれる場合（Ｓ９２６）、通信制御部１４２は、周囲の基地局１０’に当該ＵＥ２０の削除を要求する通信を制御する（Ｓ９２８）。そして、基地局１０’はＵＥ２０との通信のステップに進む（Ｓ９３０）。
【０１１４】
（第４の動作例）
図３４は、第２の実施形態による基地局１０’の第４の動作例を示したフローチャートである。図３４に示したように、まず、基地局１０’が通信制御部１４２による制御に従って周囲の基地局１０’の端末リストを取得すると（Ｓ９３２）、リスト比較部１５０が、記憶部１３０に記憶されている基地局１０’の端末リストと異なる端末リストを有する周囲の基地局１０’が存在するか否かを判断する（Ｓ９３４）。
【０１１５】
そして、基地局１０’の端末リストと異なる端末リストを有する周囲の基地局１０’が存在し、周囲の基地局１０’の端末リストにないＵＥ２０が基地局１０’の端末リストに含まれる場合（Ｓ９３６）、通信制御部１４２は、周囲の基地局１０’に当該ＵＥ２０の追加を要求する通信を制御する（Ｓ９３８）。そして、基地局１０’はＵＥ２０との通信のステップに進む（Ｓ９４０）。
【０１１６】
＜３−３．管理ノードの構成および動作＞
上記では、基地局１０’が主体となって複数の基地局１０’の端末リストを一致させる例を説明したが、管理ノード３０’が主体となって基地局１０’の端末リストを一致させることも可能である。以下、このような管理ノード３０’の構成および動作を詳細に説明する。
【０１１７】
図３５は、管理ノード３０’の構成を示した機能ブロック図である。図３５に示したように、管理ノード３０’は、有線通信部３２０と、通信制御部３４２と、リスト比較部３５０と、リスト作成部３７０と、を備える。
【０１１８】
有線通信部３２０は、基地局１０’に情報を送信するための送信部、および基地局１０’から情報を受信するための受信部として機能する。例えば、有線通信部３２０は、各基地局１０’から端末リストを受信し、リスト作成部３７０により作成された端末リストを各基地局１０’に送信する。なお、図３５においては管理ノード３０’と基地局１０’のインタフェースが有線である例を示しているが、管理ノード３０’と基地局１０’のインタフェースは無線であってもよい。
【０１１９】
通信制御部３４２は、有線通信部３２０による通信全般を制御する。例えば、通信制御部３４２は、各基地局１０’に端末リストを要求する通信や、にリスト作成部３７０により作成された端末リストの各基地局１０’への送信などを制御する。
【０１２０】
リスト比較部３５０は、有線通信部３２０により受信された各基地局１０’の端末リストを比較し、各基地局１０’の端末リストのうちで、他と異なる端末リストが存在するか否かを判断する。
【０１２１】
リスト作成部３７０は、各基地局１０’の端末リストのうちで、他と異なる端末リストが存在すると判断された場合、各基地局１０’の端末リストに基づいて新たな端末リストを作成する。リスト作成部３７０により作成された新たな端末リストは、有線通信部２３０から各基地局１０’に送信される。
【０１２２】
以下、このような管理ノード３０’の動作例を図３６および図３７を参照してより具体的に説明する。
【０１２３】
図３６は、管理ノード３０’の第１の動作例を示したフローチャートである。図３６に示したように、管理ノード３０’が通信制御部３４２の制御により各基地局１０’から端末リストを受信すると（Ｓ９５２）、リスト比較部３５０が、各基地局１０’の端末リストのうちで、他と異なる端末リストが存在するか否かを判断する（Ｓ９５４）。
【０１２４】
続いて、リスト作成部３７０は、他と異なる端末リストが存在する場合、各基地局１０’の端末リストのうちのいずれかに含まれているＵＥ２０からなる端末リストを新たに作成する（Ｓ９５６）。例えば、基地局１０’Ａの端末リストにＵＥ２０Ａ、２０Ｂおよび２０Ｄが含まれ、基地局１０’Ｂの端末リストにＵＥ２０Ａ、２０Ｂおよび２０Ｃが含まれる場合、リスト作成部３７０は、ＵＥ２０Ａ、２０Ｂ、２０Ｃおよび２０Ｄからなる端末リストを作成する。そして、有線通信部３２０が、リスト作成部３７０により新たに作成された端末リストを各基地局１０’に送信する（Ｓ９５８）。
【０１２５】
図３７は、管理ノード３０’の第２の動作例を示したフローチャートである。図３７に示したように、管理ノード３０’が通信制御部３４２の制御により各基地局１０’から端末リストを受信すると（Ｓ９６２）、リスト比較部３５０が、各基地局１０’の端末リストのうちで、他と異なる端末リストが存在するか否かを判断する（Ｓ９６４）。
【０１２６】
続いて、リスト作成部３７０は、他と異なる端末リストが存在する場合、各基地局１０’の端末リストの全てに含まれるＵＥ２０からなる端末リストを新たに作成する（Ｓ９６６）。例えば、基地局１０’Ａの端末リストにＵＥ２０Ａ、２０Ｂおよび２０Ｄが含まれ、基地局１０’Ｂの端末リストにＵＥ２０Ａ、２０Ｂおよび２０Ｃが含まれる場合、リスト作成部３７０は、ＵＥ２０Ａおよび２０Ｂからなる端末リストを作成する。そして、有線通信部３２０が、リスト作成部３７０により新たに作成された端末リストを各基地局１０’に送信する（Ｓ９６８）。
【０１２７】
この第２の動作例では、全ての基地局１０’によりアクセスが許可されるＵＥ２０以外は端末リストから削除されるので、セキュリティの観点からはＵＥ２０からのアクセスに対して堅牢である。
【０１２８】
＜３−４．補足＞
以上、基地局１０’または管理ノード３０’が主体となって端末リストを更新する例を説明した。この端末リストの更新は、基地局１０’または管理ノード３０’が周期的に行ってもよいが、基地局１０’または管理ノード３０’は、以下に説明するように、ＵＥ２０からの依頼に応じて端末リストを更新してもよい。
【０１２９】
図３８は、基地局１０’による端末リストの更新処理を示したフローチャートである。図３８に示したように、基地局１０’の無線通信部１１０が、ＵＥ２０の端末リストへの追加／削除の要求をＵＥ２０から受信した場合（Ｓ９７０）、記憶部１３０の端末リストにＵＥ２０を追加／端末リストからＵＥ２０を削除する（Ｓ９７２）。
【０１３０】
そして、基地局１０’の有線通信部１２０が、リスト更新部１６０により更新された端末リストを周囲の基地局１０’に送信する（Ｓ９７４）。その後、周囲の基地局１０’から端末リストに対するレスポンスがあった場合、基地局１０’は、ＵＥ２０に更新完了を通知することで当該更新処理を終了する（Ｓ９７６）。一方、有線通信部１２０により周囲の基地局１０’から更新通知が受信されない場合、有線通信部１２０は更新された端末リストを周囲の基地局１０’に再度送信する（Ｓ９７４）。
【０１３１】
図３９は、基地局１０’による端末リストの更新処理を別の観点から示したシーケンス図である。図３９に示したように、ＵＥ２０の端末リストへの追加／削除をＵＥ２０が基地局１０’Ａに要求すると（Ｓ９８１）、基地局１０’Ａは、当該要求を他の基地局１０’Ｂに送信する（Ｓ９８２）。なお、図３９においては２つの基地局１０’のみを示しているが、より多数の基地局１０’が通信システムを構成する場合、各基地局１０’は、例えばリレー形式で当該要求を順次に転送してもよい。
【０１３２】
その後、ＵＥ２０の端末リストへの追加／削除の要求を受信した各基地局１０’は、当該要求に従って端末リストを更新する（Ｓ９８３、Ｓ９８４）。そして、各基地局１０’は、端末リストを更新した旨を示す更新通知を送信する（Ｓ９８５、Ｓ９８６）。
【０１３３】
なお、上記では各基地局１０’が個別に端末リストを更新する例を説明したが、図４０を参照して説明するように、管理ノード３０’のような１つの装置が端末リストを更新してもよい。
【０１３４】
図４０は、管理ノード３０’による端末リストの更新処理を示したシーケンス図である。図４０に示したように、ＵＥ２０の端末リストへの追加／削除をＵＥ２０が基地局１０’Ａに要求すると（Ｓ９９１）、基地局１０’Ａは、当該要求を管理ノード３０’に送信する（Ｓ９９２）そして、管理ノード３０’が、当該要求に応じて端末リストを更新し（Ｓ９９３）、更新した端末リストを各基地局１０’に送信する（Ｓ９９４、Ｓ９９５）。その後、基地局１０’Ａが、端末リストを更新した旨を示す更新通知をＵＥ２０へ送信する（Ｓ９９６）。
【０１３５】
以上説明したように、基地局１０’Ａまたは管理ノード３０’は、例えばＵＥ２０からの要求に応じて端末リストを更新してもよいし、通信システムの外部からの要求や、基地局１０’Ａまたは管理ノード３０’への人的な操作に応じて端末リストを更新してもよい。
【０１３６】
＜＜４．むすび＞＞
本開示によれば、ＵＥ２０のグループ分けを行い、各グループに属するＵＥ２０に対する動作を区別するＣＳＧセルのような基地局が多く導入される場合でも、当該基地局を含むＣｏＭＰを実現できるので、ＣＳＧセルの導入とＣｏＭＰの導入による相乗効果を得ることができる。その結果、局所的に発生する通信トラヒックを効率よくカバーしながら、エリア全体の通信容量を向上させることが可能となるので、ユーザエクスペリエンスの向上させることができる。
【０１３７】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１３８】
例えば、本明細書の基地局１０、管理ノード３０などの処理における各ステップは、必ずしもシーケンス図またはフローチャートとして記載された順序に沿って時系列に処理する必要はない。例えば、基地局１０、管理ノード３０などの処理における各ステップは、フローチャートとして記載した順序と異なる順序で処理されても、並列的に処理されてもよい。
【０１３９】
また、基地局１０、管理ノード３０などに内蔵されるＣＰＵ、ＲＯＭおよびＲＡＭなどのハードウェアを、上述した基地局１０、管理ノード３０などの各構成と同等の機能を発揮させるためのコンピュータプログラムも作成可能である。また、該コンピュータプログラムを記憶させた記憶媒体も提供される。
【０１４０】
また、以下のような構成も本開示の技術的範囲に属する。
（１）
通信制御装置であって、
特定の無線端末と他の無線端末に対する動作を区別するための端末グループ分けを前記通信制御装置または他の通信制御装置が行っているか否かに応じ、前記他の通信制御装置と連携する協調型通信を制御する通信制御部、
を備える、通信制御装置。
（２）
前記通信制御部は、前記通信制御装置および他の第１の通信制御装置が前記端末グループ分けを行っておらず、他の第２の通信制御装置が前記端末グループ分けを行っている場合、前記他の第１の通信制御装置と連携する協調型通信を制御する、（１）に記載の通信制御装置。
（３）
前記通信制御部は、他の第２の通信制御装置が対象の無線端末を特定の無線端末として含む端末リストを有する場合、前記他の第２の通信制御装置と連携する協調型通信を制御する、（１）または（２）に記載の通信制御装置。
（４）
前記通信制御部は、他の第２の通信制御装置が前記他の無線端末との接続を許可している場合、前記他の第２の通信制御装置と連携する協調型通信を制御する、（１）〜（３）のいずれか一項に記載の通信制御装置。
（５）
前記通信制御部は、前記通信制御装置が前記端末グループ分けを行っている場合、対象の無線端末との１対１の通信を制御する、（１）〜（４）のいずれか一項に記載の通信制御装置。
（６）
前記通信制御部は、前記他の通信制御装置との通信であって、前記端末グループ分けに関する情報の通信を制御する、（１）〜（５）のいずれか一項に記載の通信制御装置。
（７）
前記通信制御部は、前記他の通信制御装置が前記端末グループ分けを行っているか否かを問い合わせる通信を制御する、（６）に記載の通信制御装置。
（８）
前記通信制御部は、前記他の通信制御装置における前記端末グループ分けを示す端末リストを問い合わせる通信を制御する、（６）または（７）に記載の通信制御装置。
（９）
前記通信制御部は、対象の無線端末を前記特定の無線端末として含む端末リストを前記他の通信制御装置が有するか否かを問い合わせる通信を制御する、（６）〜（８）のいずれか一項に記載の通信制御装置。
（１０）
前記通信制御部は、対象の無線端末との通信のために前記他の通信制御装置と連携する協調型通信への参加の可否を問い合わせる通信を制御する、（６）〜（９）のいずれか一項に記載の通信制御装置。
（１１）
前記特定の端末は、前記通信制御装置への接続が許可される端末、または、前記通信制御装置へ優先接続される端末である、（１）〜（１０）のいずれか一項に記載の通信制御装置。
（１２）
通信制御装置が、特定の無線端末と他の無線端末に対する動作を区別するための端末グループ分けを前記通信制御装置または他の通信制御装置が行っているか否かに応じ、前記他の通信制御装置と連携する協調型通信を制御する、通信制御方法。
（１３）
コンピュータを、
通信制御装置であって、
特定の無線端末と他の無線端末に対する動作を区別するための端末グループ分けを前記通信制御装置または他の通信制御装置が行っているか否かに応じ、前記他の通信制御装置と連携する協調型通信を制御する通信制御部、
を備える通信制御装置として機能させるための、プログラム。
（１４）
第１の通信制御装置と、
第２の通信制御装置と、
を備え、
前記第１の通信制御装置は、
特定の無線端末と他の無線端末に対する動作を区別するための端末グループ分けを前記第１の通信制御装置または前記第２の通信制御装置が行っているか否かに応じ、前記第２の通信制御装置と連携する協調型通信を制御する通信制御部を有する、通信システム。
（１５）
通信制御装置との通信であって、特定の無線端末と他の無線端末に対する動作を区別するための端末グループ分けを前記通信制御装置または他の通信制御装置が行っているか否かに応じ、前記他の通信制御装置と連携する協調型通信を制御する前記通信制御装置と通信する、無線端末。
【符号の説明】
【０１４１】
１０      基地局
２０      ＵＥ
３０      管理ノード
１１０    無線通信部
１２０、３２０  有線通信部
１３０    記憶部
１４０、１４２、３４２  通信制御部
１５０、３５０  リスト比較部
１６０    リスト更新部
１７０    リスト作成部
【図１】
0005760685.tif 000002
【図２】
0005760685.tif 000003
【図３】
0005760685.tif 000004
【図４】
0005760685.tif 000005
【図５】
0005760685.tif 000006
【図６】
0005760685.tif 000007
【図７】
0005760685.tif 000008
【図８】
0005760685.tif 000009
【図９】
0005760685.tif 000010
【図１０】
0005760685.tif 000011
【図１１】
0005760685.tif 000012
【図１２】
0005760685.tif 000013
【図１３】
0005760685.tif 000014
【図１４】
0005760685.tif 000015
【図１５】
0005760685.tif 000016
【図１６】
0005760685.tif 000017
【図１７】
0005760685.tif 000018
【図１８】
0005760685.tif 000019
【図１９】
0005760685.tif 000020
【図２０】
0005760685.tif 000021
【図２１】
0005760685.tif 000022
【図２２】
0005760685.tif 000023
【図２３】
0005760685.tif 000024
【図２４】
0005760685.tif 000025
【図２５】
0005760685.tif 000026
【図２６】
0005760685.tif 000027
【図２７】
0005760685.tif 000028
【図２８】
0005760685.tif 000029
【図２９】
0005760685.tif 000030
【図３０】
0005760685.tif 000031
【図３１】
0005760685.tif 000032
【図３２】
0005760685.tif 000033
【図３３】
0005760685.tif 000034
【図３４】
0005760685.tif 000035
【図３５】
0005760685.tif 000036
【図３６】
0005760685.tif 000037
【図３７】
0005760685.tif 000038
【図３８】
0005760685.tif 000039
【図３９】
0005760685.tif 000040
【図４０】
0005760685.tif 000041